(57)【特許請求の範囲】
【請求項１】
ケース体（６３）によって閉塞空間であるエンジン室（６４）を形成し、同エンジン室（６４）内にエンジン（２１）を内設させ、同ケース体（６３）の右側前方に上記エンジン（２１）の水冷用ラジエータ（６６）を右向きに設置し、同水冷用ラジエータ（６６）の背面で機内側に空冷ファン（５４）を配設し、前記ケース体（６３）の右側及び水冷用ラジエータ（６６）の正面側に風洞カバー（６７）を取付け、同風洞カバー（６７）内部の冷却風路（６９）に、回転させて吸込み面の塵を除去させるロータリスクリーン（６８）を設けて、同ロータリスクリーン（６８）、冷却風路（６９）及びラジエータ（６６）を介して上記空冷ファン（５４）に外部空気を取込むことにより、水冷用ラジエータ（６６）を冷却可能とし、
前記ケース体（６３）の前面に導入口（７０）を形成し、同導入口（７０）に、前記空冷ファン（５４）の背面後半分からの排風をエンジン室（６４）に流入させる導入ガイド板（７１）を設け、同導入ガイド板（７１）により水冷用ラジエータ（６６）を冷却した空冷ファン（５４）の冷却風の一部をエンジン室（６４）に導入させると共に、前記ケース体（６３）の後面左側部に形成した導出口（７２）を、脱穀部（４）に設ける送塵ファン（３１）の外気取入口（７３）に、導出ガイド板（７４）を介して連通させて、エンジン室（６４）内の暖気を導出口（７２）から上記外気取入口（７３）を介して送塵ファン（３１）に供給させ、同送塵ファン（３１）により暖気を選別風として揺動選別盤（２５）及びコンベア（３３）（３４）に送風して、これらを乾燥させ乍ら選別作業を行わせるようにし、
前記エンジン（２１）とケース体（６３）の後面との間のエンジン室（６４）右側下部に、上記エンジン（２１）に連動連結したオーガ駆動ケース（５５）を配置して、同オーガ駆動ケース（５５）の出力端部（５５ａ）を上記ケース体（６３）の後面に開設した動力取出口（７５）を介して貫通させ、その出力端部（５５ａ）の内側から出力軸（５９）を後方外側に突出させる一方、
ケース体（６３）と対向させて後方に配置した穀物タンク（１５）内の底部に下部排出オーガ（６１）を設けて、同下部排出オーガ（６１）に上記出力軸（５９）を連動連結したことを特徴とするコンバイン。
【発明の詳細な説明】
【０００１】
【発明の属する技術分野】
本発明は連続的に穀稈を刈取って脱穀するコンバインに関する。
【０００２】
【従来の技術】
従来、タンク内の穀粒をオーガにより排出する場合、タンク前方に配置されるエンジン動力によりオーガを駆動している。
【０００３】
【発明が解決しようとする課題】
エンジンを閉塞空間に内設させる場合、閉塞空間から回転軸を突出させると、その動力取出口との間に隙間がどうしても必要となり、その隙間から塵埃や籾が侵入する問題があった。
【０００４】
従って、本発明は、閉塞空間の密閉を破ることなく、それを保持しながら、エンジン動力をオーガに伝えて駆動するコンバインを提供することを目的とする。
【０００５】
【課題を解決するための手段】
そこで、本発明では、ケース体によって閉塞空間であるエンジン室を形成し、同エンジン室内にエンジンを内設させ、同ケース体の右側前方に上記エンジンの水冷用ラジエータを右向きに設置し、同水冷用ラジエータの背面で機内側に空冷ファンを配設し、前記ケース体の右側及び水冷用ラジエータの正面側に風洞カバーを取付け、同風洞カバー内部の冷却風路に、回転させて吸込み面の塵を除去させるロータリスクリーンを設けて、同ロータリスクリーン、冷却風路及びラジエータを介して上記空冷ファンに外部空気を取込むことにより、水冷用ラジエータを冷却可能とし、前記ケース体の前面に導入口を形成し、同導入口に、前記空冷ファンの背面後半分からの排風をエンジン室に流入させる導入ガイド板を設け、同導入ガイド板により水冷用ラジエータを冷却した空冷ファンの冷却風の一部をエンジン室に導入させると共に、前記ケース体の後面左側部に形成した導出口を、脱穀部に設ける送塵ファンの外気取入口に、導出ガイド板を介して連通させて、エンジン室内の暖気を導出口から上記外気取入口を介して送塵ファンに供給させ、同送塵ファンにより暖気を選別風として揺動選別盤及びコンベアに送風して、これらを乾燥させ乍ら選別作業を行わせるようにし、前記エンジンとケース体の後面との間のエンジン室右側下部に、上記エンジンに連動連結したオーガ駆動ケースを配置して、同オーガ駆動ケースの出力端部を上記ケース体の後面に開設した動力取出口を介して貫通させ、その出力端部の内側から出力軸を後方外側に突出させる一方、ケース体と対向させて後方に配置した穀物タンク内の底部に下部排出オーガを設けて、同下部排出オーガに上記出力軸を連動連結したことを特徴とするコンバインを提供するものである。
【０００６】
【発明の実施の形態】
以下、本発明の実施例を図面に基づいて詳述する。図１はオーガ駆動ケース出力端部の部分拡大断面図、図２はコンバインの全体側面図、図３は同平面図であり、図中（１）は走行クローラ（２）を装設するトラックフレーム、（３）は前記トラックフレーム（１）に架設する機台、（４）はフィードチェン（５）を左側に張架し扱胴（６）及び処理胴（７）を内蔵している脱穀機である脱穀部、（８）は刈刃（９）及び穀稈搬送機構（１０）などを備える刈取部、（１１）は刈取フレーム（１２）を介して刈取部（８）を昇降させる油圧シリンダ、（１３）は排藁チェン（１４）終端を臨ませる排藁処理部、（１５）は脱穀部（４）からの穀粒を揚穀筒（１６）を介して搬入する穀物タンク、（１７）は前記タンク（１５）の穀粒を機外に搬出する上部排出オーガ、（１８）は運転操作ハンドル（１９）及び運転席（２０）を備える運転キャビン、（２１）は運転キャビン（１８）下方に設けるエンジンであり、連続的に穀稈を刈取って脱穀するように構成している。
【０００７】
また、図４に示す如く、図中（２２）は機体の前後方向に軸架する軸流型の扱胴（６）を内設させる扱室、（２３）は前記扱室（２２）に穀稈を挿入する扱口、（２４）は前記扱室（２２）下方に張架させるクリンプ網、（２５）は前記クリンプ網（２４）下方に前端を臨ませて前後方向に揺動自在に支持する揺動選別盤、（２６）（２７）は前記クリンプ網（２４）の下方に上下２段に配設する選別盤（２５）の前後フィードパン、（２８）は前フィードパン（２６）の後端側に上下揺動自在に設ける選別篩い線、（２９）は後フィードパン（２７）後端後方に連設するチャフシーブ、（３０）はチャフシーブ（２９）下方に配設するグレンシーブ、（３１）は前後フィードパン（２６）（２７）の上下間に選別風を送給するプレファンである送塵ファン、（３２）はチャフシーブ（２９）とグレンシーブ（３０）間及びグレンシーブ（３０）下方に選別風を送給するメインの送風装置である唐箕、（３３）は揚穀筒（１６）に連通させて穀物タンク（１５）に穀粒を取出す１番コンベア、（３４）は２番物を２番還元装置である２番還元コンベア（３５）を介し前記選別盤（２５）の篩い線（２８）上方に還元する２番コンベア、（３６）は前記選別盤（２５）を前後及び上下動させる揺動駆動軸、（３７）は前記選別盤（２５）の後端上方に配設する吸排塵ファン、（３８）は該ファン（３７）上方を遮閉して排藁を搬出案内する四番樋であり、前記扱胴（６）及び処理胴（７）により脱穀された穀粒を揺動選別盤（２５）で選別し整粒のみを前記穀物タンク（１５）に取出し、前記選別盤（２５）後端の三番口（３９）から藁屑を機外に放出させると共に、排藁を排藁チェン（１４）を介し排藁処理部（１３）に送り込んで排藁カッタ（１３ａ）により切断して機外に排出させるように構成している。また、前記扱室（２２）後部の排塵口（４０）を介して扱胴（６）後部の脱粒物を処理胴（７）に送給し、扱胴（６）の脱粒物を処理胴（７）によって再処理して揺動選別盤（２５）上に落下させ、処理胴（７）からの穀粒を二番コンベア（３４）に収集し、かつ藁屑をファン（３７）または三番口（３９）から機外に排出させるように構成している。
【０００８】
さらに、図５に示す如く、前記エンジン（２１）の動力をカウンタケース（４１）に伝える自在継手付ドライブシャフト（４２）を設けると共に、脱穀出力軸（４３）、選別出力軸（４４）、刈取出力軸（４５）、走行出力軸（４６）をカウンタケース（４１）に設ける。前記脱穀出力軸（４３）に設ける脱穀プーリ（４７）を介して扱胴（６）及び処理胴（７）を駆動すると共に、送塵ファン（３１）、唐箕（３２）、１番コンベア（３３）、二番コンベア（３４）、揺動駆動軸（３６）、吸排塵ファン（３７）、排藁カッタ（１３ａ）を、選別出力軸（４４）の選別プーリ（４８）を介して駆動し、その１番コンベア（３３）に揚穀筒（１６）を、２番コンベア（３４）に２番還元コンベア（３５）をそれぞれ連動連結する。また前記刈取出力軸（４５）に刈取部（８）の刈取入力軸（４９）をベルト連結させ、その刈取入力軸（４９）を介してフィードチェン（５）に動力を伝えると共に、刈取部（８）の各部に動力を伝える。さらに前記走行出力軸（４６）を入力部に油圧無段変速機（５０）を備える走行変速ギヤケース（５１）の入力軸（５２）にベルト連結させ、そのケース（５１）の左右独立の出力軸（５３）を介して左右走行クローラ（２）（２）に動力を伝える。
【０００９】
また、図５において、図中（５４）は前記エンジン（２１）に冷却風を供給する空冷ファン、（５５）は運転キャビン（１８）の冷房用コンプレッサであり、前記変速入力軸（５２）に空冷ファン（５４）及びコンプレッサ（５５）を連結させて駆動する。さらに図中（５５）はオーガ駆動ケースであり、ベベルギヤ（５６）（５７）を介してケース（５５）間で連動連結する軸芯が直角に交わる入力軸（５８）と出力軸（５９）の２軸を有し、機体左右方向に伸びる入力軸（５８）右端をテンションローラであるオーガクラッチ（６０）を介して前記カウンタケース（４１）と反対側のエンジン（２１）右側に突出させるドライブシャフト（４２）右端にベルト連結させると共に、機体前後方向伸びる出力軸（５９）後端に軸継手（６０）を介して前記タンク（１５）の底部略中央で前後方向に張設する下部排出オーガ（６１）軸前端に連動連結する。この下部排出オーガ（６１）の後端が、機台（３）の右後部に立設支持してタンク（１５）後面を回動自在に連結させ、そのタンク（１５）を機外側に回動自在に支持する縦排出オーガ（６２）の下部に連動連結され、その縦排出オーガ（６２）の上端に前記上部排出オーガ（１７）の後端が昇降及び旋回自在に連動連結させており、各オーガ（６１）（６２）（１７）を連動連結し、タンク（１５）の内の穀粒を適宜排出位置に移動可能な上部排出オーガ（１７）の前端（送り終端）より排出するように構成している。
【００１０】
さらに、図６、図７、図８に示す如く、ケース体（６３）によって形成する四角形略密閉状態のエンジン室（６４）にエンジン（２１）を内設させ、ケース体（６３）の左側面開口（６５）を介してドライブシャフト（４２）をエンジン室（６４）左側に突出させると共に、ケース体（６３）の右側前方にエンジン（２１）の水冷用ラジエータ（６６）を右向きに設置させ、ラジエータ（６６）の背面機内側に前記空冷ファン（５４）を配設させる。また、前記ケース体（６３）右側及びラジエータ（６６）正面側に風洞カバー（６７）を取付け、回転させて吸込み面の塵を除去させるロータリスクリーン（６８）を風洞カバー（６７）内部の冷却風路（６９）に設け、前記スクリーン（６８）、風路（６９）及びラジエータ（６６）を介して空冷ファン（５４）に外部空気を取込み、ラジエータ（６６）を冷却する。
【００１１】
また、前記ケース体（６３）前面に導入口（７０）を形成し、前記空冷ファン（５４）の背面後半分からの排風を導入口（７０）からエンジン室（６４）に流入させる導入ガイド板（７１）を設け、ラジエータ（６６）を冷却したファン（５４）の冷却風の一部をエンジン室（６４）に導入させると共に、前記ケース体（６３）後面左側部に導出口（７２）を形成し、脱穀部（４）に設ける送塵ファン（３１）の外気取入口（７３）に導出ガイド板（７４）を介して導出口（７２）を連通させ、エンジン室（６４）内の暖気を導出口（７２）から取入口（７３）を介して送塵ファン（３１）に供給させ、エンジン（２１）からの暖気を選別風として揺動選別盤（２５）及びコンベア（３３）（３４）などを乾燥させ乍ら選別作業を行わせるもので、揺動選別盤（２５）上の湿材を乾燥させて穀粒の収集効率を高めたり、塵を乾燥させて選別風による飛散排出を容易にして塵の堆積を防ぐものである。
【００１２】
また、前記エンジン（２１）とケース体（６３）後面の間のエンジン室（６４）右側下部に前記オーガ駆動ケース（５５）を配置固定し、図１に示すように、前記ケース体（６３）の後面に開設する円形の動力取出口（７５）を介して前記ケース（５５）の断面円形の出力端部（５５ａ）を前記タンク（１５）前面に対向する密閉状態のエンジン室（６４）後面に突出させ、その出力端部（５５ａ）の内側からエンジン室（６４）後方外側に突出する前記出力軸（５９）端部を下部排出オーガ（６１）軸前端部と上記したように軸継手（６０）を介して連動連結させるもので、このように、エンジン（２１）を内設させる密閉されたエンジン室（６４）のような閉塞空間を形成するケース体（６３）に対して、回転軸である出力軸（５９）を直接貫通させるのと違って、固定のオーガ駆動ケース（５５）の出力端部（５５ａ）を貫通させ、その出力端部（５５ａ）の内側から出力軸（５９）を突出させることにより、前記取出口（７５）と前記出力端部（５５ａ）の嵌め合いで隙間をより小さくでき、さらにはなくすこともでき、または、隙間が少しできる嵌め合いにしても、図１の出力端部（５５ａ）上部に示すように、隙間をパテ等のシール材（７６）により塞ぐことができ、または図１の出力端部（５５ａ）上下部に示すように、取出口（７５）の内周縁に環状のゴムパッキン（７７）を嵌着し、そのゴムパッキン（７７）により隙間を塞ぐこともでき、取出口（７７）を出力端部（５５ａ）により内側から塞ぎ、エンジン室（６４）の密閉を破るのをできる限り少なく、または破ることなく、その密閉を保持しながら、エンジン（２１）動力を下部排出オーガ（６１）に伝えて、各オーガ（６１）（６２）（１７）を駆動するように構成している。
【００１３】
また、出力端部（５５ａ）周面を取出口（７５）のシール面とするから、軸と穴の嵌め合いで位置決めも容易に行え、シール処理操作も簡単でシール性も向上し、上記した密閉保持に効果的に働く。
【００１４】
【発明の効果】
本発明では、ケース体によって閉塞空間であるエンジン室を形成し、同エンジン室内にエンジンを内設させ、同ケース体の右側前方に上記エンジンの水冷用ラジエータを右向きに設置し、同水冷用ラジエータの背面で機内側に空冷ファンを配設し、前記ケース体の右側及び水冷用ラジエータの正面側に風洞カバーを取付け、同風洞カバー内部の冷却風路に、回転させて吸込み面の塵を除去させるロータリスクリーンを設けて、同ロータリスクリーン、冷却風路及びラジエータを介して上記空冷ファンに外部空気を取込むことにより、水冷用ラジエータを冷却可能とし、前記ケース体の前面に導入口を形成し、同導入口に、前記空冷ファンの背面後半分からの排風をエンジン室に流入させる導入ガイド板を設け、同導入ガイド板により水冷用ラジエータを冷却した空冷ファンの冷却風の一部をエンジン室に導入させると共に、前記ケース体の後面左側部に形成した導出口を、脱穀部に設ける送塵ファンの外気取入口に、導出ガイド板を介して連通させて、エンジン室内の暖気を導出口から上記外気取入口を介して送塵ファンに供給させ、同送塵ファンにより暖気を選別風として揺動選別盤及びコンベアに送風して、これらを乾燥させ乍ら選別作業を行わせるようにしている。
従って、揺動選別盤上の湿材を乾燥させて穀粒の収集効率を高めることができると共に、塵を乾燥させて選別風による飛散排出を容易にして塵の堆積を防ぐことができる。
しかも、本発明では、エンジンとケース体の後面との間のエンジン室右側下部に、上記エンジンに連動連結したオーガ駆動ケースを配置して、同オーガ駆動ケースの出力端部を上記ケース体の後面に開設した動力取出口を介して貫通させ、その出力端部の内側から出力軸を後方外側に突出させる一方、ケース体と対向させて後方に配置した穀物タンク内の底部に下部排出オーガを設けて、同下部排出オーガに上記出力軸を連動連結している。
従って、出力軸を突出させているオーガ駆動ケースの出力端部の外周面と、同出力端部を貫通している動力取出口との隙間を嵌め合いでなくすことにより、閉塞空間であるエンジン室への塵埃の侵入を防止することができる。また、オーガ駆動ケースの出力端部の外周面と、同出力端部を貫通している動力取出口との隙間をシールのための処理操作も容易、且つ、確実に行うことができる等の効果を奏する。
【図面の簡単な説明】
【図１】オーガ駆動ケース出力端部の部分拡大断面図。
【図２】コンバインの全体側面図。
【図３】コンバインの全体平面図。
【図４】脱穀部の側面図。
【図５】コンバインの駆動系統図。
【図６】エンジン部の側面図。
【図７】エンジン部の平面図。
【図８】エンジン部の正面図。
【符号の説明】
（１５）  穀粒タンク
（２１）  エンジン
（５５）  オーガ駆動ケース
（６１）（６２）（１７）  排出オーガ
（６４）  エンジン室（閉塞空間）
（７５）  動力取出口
【図１】
0003732580.tif 000002
【図２】
0003732580.tif 000003
【図３】
0003732580.tif 000004
【図４】
0003732580.tif 000005
【図５】
0003732580.tif 000006
【図６】
0003732580.tif 000007
【図７】
0003732580.tif 000008
【図８】
0003732580.tif 000009